(57)【要約】【課題】再度説明が必要なページを容易に決定できるテレビ会議装置、テレビ会議システム、テレビ会議制御方法、及びテレビ会議装置のプログラムを提供する。【解決手段】再説明判断処理が実行されると、指定閲覧時間、及び指定端末数が取得され（Ｓ２１）、拠点端末で表示されているページ番号が閲覧ページテーブルに記憶される（Ｓ２２）。閲覧時間合計テーブルの合計時間で、説明者の拠点端末で表示されているページと異なったページを個別表示領域で表示している聴講者の拠点端末に対応した合計時間が、更新時間分だけ加算される（Ｓ２３）。次いで、聴講者の各拠点端末において、ページデータが表示された時間が指定閲覧時間以上のものが、指定端末数以上ある場合（Ｓ２４：ＹＥＳ）、再説明のページ番号、及びメッセージデータが各拠点端末に対して送信され（Ｓ２７）、再説明判断処理を終了する。【選択図】図９
2010212837.tif 000002
【特許請求の範囲】
【請求項１】
表示データのページがネットワークを介して共有して表示される共有表示領域と、使用者が変更可能である前記表示データのページを表示する個別表示領域とを表示部の表示領域に備えた端末装置の間で実施されるテレビ会議を制御するテレビ会議装置であって、
前記個別表示領域で表示されている前記表示データのページを識別する情報であるページ情報を受信したか否かを判断するページ情報受信判断手段と、
前記ページ情報受信判断手段にて前記ページ情報が受信されたと判断された場合、前記ページ情報を送信した前記端末装置を識別する識別情報と、受信した前記ページ情報とを対応づけて閲覧ページ情報として閲覧ページ情報記憶手段に記憶させる閲覧ページ情報記憶制御手段と、
前記識別情報毎に、前記個別表示領域で表示された前記表示データの前記ページ情報と、当該ページ情報で特定されるページが、前記共有表示領域で表示されているページと異なって前記個別表示領域で表示された時間である表示時間とを対応づけて閲覧時間情報として記憶する閲覧時間情報記憶手段と、
前記閲覧時間情報記憶手段に記憶された前記閲覧時間情報の内で、前記ページ情報を前記端末装置に送信するための基準である所定基準を満たす前記閲覧時間情報が存在するか否かを判断するページ情報判断手段と、
前記ページ情報判断手段にて前記所定基準を満たす前記ページ情報が存在すると判断された場合、前記テレビ会議に接続されている前記端末装置に対して、前記ページ情報で特定されるページを前記端末装置で表示させる旨のメッセージデータ、及び前記所定基準を満たす前記閲覧時間情報のページ情報を送信する送信手段とを備えたことを特徴とするテレビ会議装置。
【請求項２】
前記閲覧時間情報記憶手段に記憶された前記閲覧時間情報を更新する時間である第１所定時間が経過したか否かを判断する更新時間判断手段と、
前記更新時間判断手段にて前記第１所定時間が経過したと判断された場合、前記閲覧ページ情報記憶手段に記憶された前記閲覧ページ情報の前記識別情報に対応し、前記閲覧時間情報記憶手段に記憶された前記閲覧時間情報において、前記閲覧ページ情報の前記ページ情報に対応した前記表示時間を、前記第１所定時間を加えた時間に更新する閲覧時間情報更新手段とを備え、
前記ページ情報判断手段は、前記閲覧時間情報更新手段にて前記閲覧ページ情報の前記ページ情報に対応した前記表示時間が前記第１所定時間を加えた時間に更新された場合、前記閲覧時間情報記憶手段に記憶された前記閲覧時間情報の内で、前記所定基準を満たす前記閲覧時間情報が存在するか否かを判断することを特徴とする請求項１に記載のテレビ会議装置。
【請求項３】
前記端末装置の数である端末装置数と、前記ページ情報で特定されるページが前記個別表示領域に表示される基準の時間である第２所定時間とを記憶する第一記憶手段を備え、
前記所定基準は、
前記閲覧時間情報記憶手段に記憶された前記閲覧時間情報の内で、前記閲覧時間情報の前記表示時間が前記第一記憶手段に記憶された前記第２所定時間以上であるものが、前記所定の端末装置数以上存在することであることを特徴とする請求項１又は２に記載のテレビ会議装置。
【請求項４】
前記テレビ会議に接続された複数の前記端末装置の中から少なくとも１つの前記端末装置を特定する端末装置特定手段と、
前記ページ情報で特定されるページが、前記端末装置特定手段にて特定される少なくとも１つの前記端末装置の個別表示領域に表示される基準の時間である第３所定時間を特定する時間特定手段とを備え、
前記所定基準は、
前記端末装置特定手段にて特定された少なくとも１つの前記端末装置の前記識別情報に対応する前記閲覧時間情報の内で、前記閲覧時間情報の前記表示時間が、前記時間特定手段にて特定された前記第３所定時間以上であるものが存在することであることを特徴とする請求項１又は２に記載のテレビ会議装置。
【請求項５】
前記識別情報と、前記ページ情報で特定されるページが前記個別表示領域に表示される基準の時間である第４所定時間と、前記閲覧時間情報記憶手段に記憶された前記識別情報を検索するための優先順位とを対応づけて記憶する第三記憶手段を備え、
前記所定基準は、
前記第二記憶手段に記憶された前記優先順位の高い順に従って、前記優先順位に対応して記憶された前記識別情報に対応する前記閲覧時間情報の内で、前記閲覧時間情報の前記表示時間が、前記優先順位に対応して記憶された前記第４所定時間以上であるものが少なくとも存在することであることを特徴とする請求項１又は２に記載のテレビ会議装置。
【請求項６】
請求項１に記載のテレビ会議装置と、前記端末装置とで構成されたテレビ会議システムであって、
前記端末装置は、
前記表示部の前記個別表示領域に表示されている前記表示データのページの変更を指示する指示手段と、
前記表示部の前記個別表示領域に表示されている前記表示データのページが、前記指示手段にて他のページに変更されたか否かを判断するページ変更判断手段と、
前記ページ変更判断手段にて前記表示データのページが他のページに変更されたと判断されてから、第５所定時間が経過したか否かを判断する経過時間判断手段と、
前記経過時間判断手段にて第５所定時間が経過したと判断された場合、前記表示部の前記個別表示領域に表示されている前記表示データの前記ページ情報を、前記テレビ会議装置に送信するページ情報送信手段と、
前記テレビ会議装置の前記送信手段にて送信された前記メッセージデータ、及び前記ページ情報を受信したか否かを判断する受信判断手段と、
前記受信判断手段にて前記メッセージデータ、及び前記ページ情報を受信したと判断された場合、受信した前記メッセージデータを前記表示部の前記表示領域に表示させる第１表示制御手段と、
前記第１表示制御手段にて前記メッセージデータが前記表示部の前記表示領域に表示されてから、第６所定時間が経過後に、受信したページ情報で特定される前記表示データのページを、前記表示部の前記共有表示領域に表示させる第２表示制御手段とを備えたことを特徴とするテレビ会議システム。
【請求項７】
表示データのページがネットワークを介して共有して表示される共有表示領域と、使用者が変更可能である前記表示データのページを表示する個別表示領域とを表示部の表示領域に備えた端末装置の間で実施されるテレビ会議を制御するテレビ会議制御方法であって、
前記個別表示領域で表示されている前記表示データのページを識別する情報であるページ情報を受信したか否かを判断するページ情報受信判断ステップと、
前記ページ情報受信判断ステップにて前記ページ情報が受信されたと判断された場合、前記ページ情報を送信した前記端末装置を識別する識別情報と、受信した前記ページ情報とを対応づけて閲覧ページ情報として閲覧ページ情報記憶手段に記憶させる閲覧ページ情報記憶制御ステップと、
前記識別情報毎に、前記個別表示領域で表示された前記表示データの前記ページ情報と、当該ページ情報で特定されるページが、前記共有表示領域で表示されているページと異なって前記個別表示領域で表示された時間である表示時間とを対応づけて閲覧時間情報として記憶する閲覧時間情報記憶手段と、
前記閲覧時間情報記憶手段に記憶された前記閲覧時間情報の内で、前記ページ情報を前記端末装置に送信するための基準である所定基準を満たす前記閲覧時間情報が存在するか否かを判断するページ情報判断ステップと、
前記ページ情報判断ステップにて前記所定基準を満たす前記ページ情報が存在すると判断された場合、前記テレビ会議に接続されている前記端末装置に対して、前記ページ情報で特定されるページを前記端末装置で表示させる旨のメッセージデータ、及び前記所定基準を満たす前記閲覧時間情報のページ情報を送信する送信ステップとを備えたことを特徴とするテレビ会議制御方法。
【請求項８】
請求項１乃至５のいずれかに記載のテレビ会議装置の各種処理手段としてコンピュータを機能させることを特徴とするテレビ会議装置のプログラム。
【発明の詳細な説明】
【技術分野】
【０００１】
本発明は、テレビ会議装置、テレビ会議システム、テレビ会議制御方法、及びテレビ会議装置のプログラムに関するものであり、詳細には、再度説明が必要なページを容易に決定できるテレビ会議装置、テレビ会議システム、テレビ会議制御方法、及びテレビ会議装置のプログラムに関するものである。
【背景技術】
【０００２】
従来、遠隔地にある複数の通信端末が同一のテレビ会議システムに接続し、あたかも同一の場所で会議を行っているかのようにする会議システムが知られている（例えば、特許文献１参照）。特許文献１に記載の会議システムによれば、電子ファイルの会議資料を各拠点端末に送信し、表示させる。そして、説明者が聞き手にその配布した資料の説明を行う際、説明者の拠点端末が聞き手の拠点端末より配布した資料の閲覧中のページ番号を受信し、聞き手が閲覧中のページが一覧表示される。これにより、説明者が聞き手の資料の閲覧状況を把握することができる。また、説明者が説明しているページと聞き手が閲覧しているページが異なっている場合に、説明者は、聞き手がそのページに関する理解ができていないと判断して再度説明をする。これにより、会議を効率的に進めることができる。
【先行技術文献】
【特許文献】
【０００３】
【特許文献１】特開平９−１０１７６７号公報
【発明の概要】
【発明が解決しようとする課題】
【０００４】
しかしながら、特許文献１に記載の発明の会議システムでは、拠点端末の数が増加するほど、配布した資料を説明している説明者にとって、一覧表示された閲覧中のページの内容を把握し、再度説明が必要なページを決定することが困難であるという問題点があった。
【０００５】
そこで、本発明は、上述した問題を解決するためになされたものであり、再度説明が必要なページを容易に決定できるテレビ会議装置、テレビ会議システム、テレビ会議制御方法、及びテレビ会議装置のプログラムを提供することを目的とする。
【課題を解決するための手段】
【０００６】
上記目的を達成するために、請求項１に係る発明のテレビ会議装置は、表示データのページがネットワークを介して共有して表示される共有表示領域と、使用者が変更可能である前記表示データのページを表示する個別表示領域とを表示部の表示領域に備えた端末装置の間で実施されるテレビ会議を制御するテレビ会議装置であって、前記個別表示領域で表示されている前記表示データのページを識別する情報であるページ情報を受信したか否かを判断するページ情報受信判断手段と、前記ページ情報受信判断手段にて前記ページ情報が受信されたと判断された場合、前記ページ情報を送信した前記端末装置を識別する識別情報と、受信した前記ページ情報とを対応づけて閲覧ページ情報として閲覧ページ情報記憶手段に記憶させる閲覧ページ情報記憶制御手段と、前記識別情報毎に、前記個別表示領域で表示された前記表示データの前記ページ情報と、当該ページ情報で特定されるページが、前記共有表示領域で表示されているページと異なって前記個別表示領域で表示された時間である表示時間とを対応づけて閲覧時間情報として記憶する閲覧時間情報記憶手段と、前記閲覧時間情報記憶手段に記憶された前記閲覧時間情報の内で、前記ページ情報を前記端末装置に送信するための基準である所定基準を満たす前記閲覧時間情報が存在するか否かを判断するページ情報判断手段と、前記ページ情報判断手段にて前記所定基準を満たす前記ページ情報が存在すると判断された場合、前記テレビ会議に接続されている前記端末装置に対して、前記ページ情報で特定されるページを前記端末装置で表示させる旨のメッセージデータ、及び前記所定基準を満たす前記閲覧時間情報のページ情報を送信する送信手段とを備えている。
【０００７】
また、請求項２に係る発明のテレビ会議装置は、請求項１に記載の発明の構成に加え、前記閲覧時間情報記憶手段に記憶された前記閲覧時間情報を更新する時間である第１所定時間が経過したか否かを判断する更新時間判断手段と、前記更新時間判断手段にて前記第１所定時間が経過したと判断された場合、前記閲覧ページ情報記憶手段に記憶された前記閲覧ページ情報の前記識別情報に対応し、前記閲覧時間情報記憶手段に記憶された前記閲覧時間情報において、前記閲覧ページ情報の前記ページ情報に対応した前記表示時間を、前記第１所定時間を加えた時間に更新する閲覧時間情報更新手段とを備え、前記ページ情報判断手段は、前記閲覧時間情報更新手段にて前記閲覧ページ情報の前記ページ情報に対応した前記表示時間が前記第１所定時間を加えた時間に更新された場合、前記閲覧時間情報記憶手段に記憶された前記閲覧時間情報の内で、前記所定基準を満たす前記閲覧時間情報が存在するか否かを判断することを特徴とする。
【０００８】
また、請求項３に係る発明のテレビ会議装置は、請求項１又は２に記載の発明の構成に加え、前記端末装置の数である端末装置数と、前記ページ情報で特定されるページが前記個別表示領域に表示される基準の時間である第２所定時間とを記憶する第一記憶手段を備え、前記所定基準は、前記閲覧時間情報記憶手段に記憶された前記閲覧時間情報の内で、前記閲覧時間情報の前記表示時間が前記第一記憶手段に記憶された前記第２所定時間以上であるものが、前記所定の端末装置数以上存在することであることを特徴とする。
【０００９】
また、請求項４に係る発明のテレビ会議装置は、請求項１又は２に記載の発明の構成に加え、前記テレビ会議に接続された複数の前記端末装置の中から少なくとも１つの前記端末装置を特定する端末装置特定手段と、前記ページ情報で特定されるページが、前記端末装置特定手段にて特定される少なくとも１つの前記端末装置の個別表示領域に表示される基準の時間である第３所定時間を特定する時間特定手段とを備え、前記所定基準は、前記端末装置特定手段にて特定された少なくとも１つの前記端末装置の前記識別情報に対応する前記閲覧時間情報の内で、前記閲覧時間情報の前記表示時間が、前記時間特定手段にて特定された前記第３所定時間以上であるものが存在することであることを特徴とする。
【００１０】
また、請求項５に係る発明のテレビ会議装置は、請求項１又は２に記載の発明の構成に加え、前記識別情報と、前記ページ情報で特定されるページが前記個別表示領域に表示される基準の時間である第４所定時間と、前記閲覧時間情報記憶手段に記憶された前記識別情報を検索するための優先順位とを対応づけて記憶する第三記憶手段を備え、前記所定基準は、前記第二記憶手段に記憶された前記優先順位の高い順に従って、前記優先順位に対応して記憶された前記識別情報に対応する前記閲覧時間情報の内で、前記閲覧時間情報の前記表示時間が、前記優先順位に対応して記憶された前記第４所定時間以上であるものが少なくとも存在することであることを特徴とする。
【００１１】
また、請求項６に係る発明のテレビ会議システムでは、請求項１に記載のテレビ会議装置と、前記端末装置とで構成されたテレビ会議システムであって、前記端末装置は、前記表示部の前記個別表示領域に表示されている前記表示データのページの変更を指示する指示手段と、前記表示部の前記個別表示領域に表示されている前記表示データのページが、前記指示手段にて他のページに変更されたか否かを判断するページ変更判断手段と、前記ページ変更判断手段にて前記表示データのページが他のページに変更されたと判断されてから、第５所定時間が経過したか否かを判断する経過時間判断手段と、前記経過時間判断手段にて第５所定時間が経過したと判断された場合、前記表示部の前記個別表示領域に表示されている前記表示データの前記ページ情報を、前記テレビ会議装置に送信するページ情報送信手段と、前記テレビ会議装置の前記送信手段にて送信された前記メッセージデータ、及び前記ページ情報を受信したか否かを判断する受信判断手段と、前記受信判断手段にて前記メッセージデータ、及び前記ページ情報を受信したと判断された場合、受信した前記メッセージデータを前記表示部の前記表示領域に表示させる第１表示制御手段と、前記第１表示制御手段にて前記メッセージデータが前記表示部の前記表示領域に表示されてから、第６所定時間が経過後に、受信したページ情報で特定される前記表示データのページを、前記表示部の前記共有表示領域に表示させる第２表示制御手段とを備えている。
【００１２】
また、請求項７に係る発明のテレビ会議制御方法は、表示データのページがネットワークを介して共有して表示される共有表示領域と、使用者が変更可能である前記表示データのページを表示する個別表示領域とを表示部の表示領域に備えた端末装置の間で実施されるテレビ会議を制御するテレビ会議制御方法であって、前記個別表示領域で表示されている前記表示データのページを識別する情報であるページ情報を受信したか否かを判断するページ情報受信判断ステップと、前記ページ情報受信判断ステップにて前記ページ情報が受信されたと判断された場合、前記ページ情報を送信した前記端末装置を識別する識別情報と、受信した前記ページ情報とを対応づけて閲覧ページ情報として閲覧ページ情報記憶手段に記憶させる閲覧ページ情報記憶制御ステップと、前記識別情報毎に、前記個別表示領域で表示された前記表示データの前記ページ情報と、当該ページ情報で特定されるページが、前記共有表示領域で表示されているページと異なって前記個別表示領域で表示された時間である表示時間とを対応づけて閲覧時間情報として記憶する閲覧時間情報記憶手段と、前記閲覧時間情報記憶手段に記憶された前記閲覧時間情報の内で、前記ページ情報を前記端末装置に送信するための基準である所定基準を満たす前記閲覧時間情報が存在するか否かを判断するページ情報判断ステップと、前記ページ情報判断ステップにて前記所定基準を満たす前記ページ情報が存在すると判断された場合、前記テレビ会議に接続されている前記端末装置に対して、前記ページ情報で特定されるページを前記端末装置で表示させる旨のメッセージデータ、及び前記所定基準を満たす前記閲覧時間情報のページ情報を送信する送信ステップとを備えている。
【００１３】
また、請求項８に係るテレビ会議装置のプログラムは、請求項１乃至５のいずれかに記載のテレビ会議装置の各種処理手段としてコンピュータを機能させることを特徴とする。
【発明の効果】
【００１４】
請求項１に係るテレビ会議装置では、テレビ会議に参加する端末装置の表示部の個別表示領域で表示されているページ情報を受信する。そして、端末装置毎に記憶されたページ情報と、共有表示領域で表示されたページと異なって個別表示領域に表示されたページの表示時間とが対応づけられて閲覧時間情報として記憶される。ページ情報判断手段にて所定基準を満たす閲覧時間情報が存在する場合、送信手段にてページを表示させる旨のメッセージデータ、及び各端末装置に表示させるページ情報が、テレビ会議に参加する各端末装置に対して送信される。これにより、テレビ会議装置において、聴講者が使用する端末装置で頻繁に閲覧されていたページを自動的に検出することができ、再説明が必要なページを容易に決定することができる。
【００１５】
請求項２に係るテレビ会議装置では、請求項１に記載の発明の効果に加え、閲覧時間情報を更新する間隔である第１所定時間が経過したか否かを判断する更新時間判断手段を備えている。第１所定時間が経過したと判断された場合、閲覧時間情報更新手段にて、閲覧ページ情報記憶手段に記憶された閲覧ページ情報の識別情報に対応し、閲覧時間情報記憶手段に記憶された閲覧時間情報において、閲覧ページ情報のページ情報に対応した表示時間を、第１所定時間を加えた時間に更新される。そして、ページ情報判断手段は、閲覧時間情報更新手段にて表示時間が更新された場合に、所定基準を満たす閲覧時間情報が存在するか判断する。これにより、第１所定時間が経過するごとに、端末装置の使用者が頻繁に閲覧していたページを自動的に検出することができ、再説明の必要性が高いページを容易に決定することができる。
【００１６】
請求項３に係るテレビ会議装置では、請求項１又は２に記載の発明の効果に加え、端末装置の数である端末装置数と、ページ情報で特定されるページが個別表示領域に表示される基準の時間である第２所定時間とを記憶する第一記憶手段を備えている。そして、ページ情報判断手段は、閲覧時間情報記憶手段に記憶された閲覧時間情報の内で、閲覧時間情報の表示時間が第一記憶手段に記憶された第２所定時間以上であるものが、端末装置数以上存在する閲覧時間情報が存在するか否かを判断する。これにより、端末装置の使用者が頻繁に閲覧していたページであり、再説明の必要性が高いページを予め設定された条件により、容易に決定することができる。
【００１７】
請求項４に係るテレビ会議装置では、請求項１又は２に記載の発明の効果に加え、識別情報と、ページ情報で特定されるページが個別表示領域に表示される基準の時間である第３所定時間とを記憶する第二記憶手段を備えている。そして、ページ情報判断手段は、第二記憶手段に記憶された識別情報に対応する閲覧時間情報の内で、閲覧時間情報の表示時間が、第二記憶手段に記憶された第３所定時間以上であるものが存在するか否かを判断する。これにより、端末装置の使用者が頻繁に閲覧していたページであり、再説明の必要性が高いページを予め設定された条件により、容易に決定することができる。
【００１８】
請求項５に係るテレビ会議装置では、請求項１又は２に記載の発明の効果に加え、識別情報と、ページ情報で特定されるページが個別表示領域に表示される基準の時間である第４所定時間と、閲覧時間情報記憶手段に記憶された識別情報を検索するための優先順位とを対応づけて記憶する第三記憶手段を備えている。そして、ページ情報判断手段は、第二記憶手段に記憶された優先順位の高い順に従って、優先順位に対応して記憶された識別情報に対応する閲覧時間情報の内で、閲覧時間情報の表示時間が、優先順位に対応して記憶された第４所定時間以上であるものが少なくとも存在するか否かを判断する。これにより、端末装置の使用者が頻繁に閲覧していたページであり、再説明の必要性が高いページを予め設定された条件により、容易に決定することができる。
【００１９】
請求項６に係るテレビ会議システムは、請求項１に記載のテレビ会議装置と、端末装置とで構成されている。端末装置は、表示部の個別表示領域に表示されている表示データのページが、指示手段にて他のページに変更されてから第５所定時間が経過したか否かを判断する経過時間判断手段を備えている。そして、経過時間判断手段にて第５所定時間が経過したと判断された場合、個別表示領域に表示されている表示データのページ情報を、テレビ会議装置に送信する。テレビ会議装置の送信手段にて送信されたメッセージデータ、及びページ情報を受信した場合、表示領域にメッセージを表示し、第６所定時間が経過後に、受信したページ情報で特定される表示データのページを、共有表示領域に表示する。これにより、テレビ会議において、説明者から説明を受ける参加者に対して、表示領域に表示されたメッセージを確認させることで、説明者に対して質問をするきっかけを提供することができる。また、再説明に必要なページが表示されることで、説明者は、説明を受ける参加者に対して、説明がし易くなると共に詳細に説明することができる。
【００２０】
請求項７に係るテレビ会議制御方法では、テレビ会議に参加する端末装置の表示部の個別表示領域で表示されているページ情報を受信する。そして、端末装置毎に記憶されたページ情報と、共有表示領域で表示されたページと異なって個別表示領域に表示されたページの表示時間とが対応づけられて閲覧時間情報として記憶される。ページ情報判断ステップにて所定基準を満たす閲覧時間情報が存在する場合、送信ステップにてページを表示させる旨のメッセージデータ、及び各端末装置に表示させるページ情報が、テレビ会議に参加する各端末装置に対して送信される。これにより、テレビ会議装置において、聴講者が使用する端末装置で頻繁に閲覧されていたページを自動的に検出することができ、再説明が必要なページを容易に決定することができる。
【００２１】
請求項８に係るテレビ会議装置のプログラムでは、請求項１乃至５のいずれかに記載のテレビ会議装置の各種処理手段としてコンピュータを機能させる。従って、テレビ会議装置のプログラムをコンピュータに実行させることにより、請求項１乃至５のいずれかに記載の発明の効果を奏することができる。
【図面の簡単な説明】
【００２２】
【図１】テレビ会議システム１の接続形態の一例を示す図である。
【図２】テレビ会議端末１００の電気的構成を示すブロック図である。
【図３】テレビ会議端末１００のＲＡＭ１０３の記憶エリアの構成を示す模式図である。
【図４】閲覧ページテーブル１１００の構成を示す模式図である。
【図５】閲覧時間合計テーブル１２００の構成を示す模式図である。
【図６】拠点端末２００の電気的構成を示すブロック図である。
【図７】拠点端末２００のモニタ２７０に表示されるテレビ会議画面２７１の一具体例を示す図である。
【図８】テレビ会議端末１００で実行されるメイン処理のフローチャートである。
【図９】テレビ会議端末１００で実行される再説明判断処理のサブルーチンのフローチャートである。
【図１０】テレビ会議端末１００で実行される閲覧関連情報受信処理のサブルーチンのフローチャートである。
【図１１】拠点端末２００で実行されるメイン処理のフローチャートである。
【図１２】拠点端末２００で実行される説明者端末データ表示処理のサブルーチンのフローチャートである。
【図１３】拠点端末２００で実行される説明者端末ページ管理処理のサブルーチンのフローチャートである。
【図１４】拠点端末２００で実行される聴講者端末データ表示処理のサブルーチンのフローチャートである。
【図１５】拠点端末２００で実行される聴講者端末ページ管理処理のサブルーチンのフローチャートである。
【図１６】拠点端末２００で実行される了承判断処理のサブルーチンのフローチャートである。
【図１７】第一変形例におけるテレビ会議端末１００で実行される再説明判断処理のサブルーチンのフローチャートである。
【図１８】第二変形例における優先順位テーブル１３００の構成を示す模式図である。
【図１９】第二変形例におけるテレビ会議端末１００で実行される再説明判断処理のサブルーチンのフローチャートである。
【発明を実施するための形態】
【００２３】
以下、本発明の一実施の形態であるテレビ会議システム１について、図面を参照して説明をする。まず、図１を参照してテレビ会議システム１の概要について説明する。
【００２４】
図１に示すように、複数の拠点端末２００は、ネットワーク２を介してテレビ会議端末１００に接続されている。テレビ会議端末１００は、例えば、周知のパーソナルコンピュータであり、汎用型の装置である。そして、テレビ会議端末１００には、複数の拠点端末２００が接続され、画像データ、及び音声データの送受信を行うことで、テレビ会議を実施することができる。図１では、拠点端末２００は４つ図示しているが、実際には、ネットワーク２を介してテレビ会議が実施できればよく、２つ以上であればよい。拠点端末２００は、例えば、ある企業の同一サイト内に複数存在してもよいし、異なる事業所内や、異なる地域や国に点在して存在していてもよい。なお、本実施の形態では、複数の拠点端末２００の内で、テレビ会議端末１００に対して、最初にテレビ会議システム１で共有するデータを送信した拠点端末２００が、「説明者の拠点端末２００」として機能する。また、説明者の拠点端末２００以外の拠点端末２００は、説明者の拠点端末２００を使用するユーザからの説明を受ける側である「聴講者の拠点端末２００」として機能するものとする。
【００２５】
拠点端末２００は、例えば、周知のパーソナルコンピュータであり、汎用型の装置である。なお、この拠点端末２００には、テレビ会議で使用する画像を外部から入力するためのカメラ２５０（図５参照）、音声を外部から入力するためのマイク２４０（図５参照）が設けられている。また、画像を外部に出力するためのモニタ２７０（図５参照）、音声を外部に出力するためのスピーカー２６０（図５参照）が設けられている。なお、説明者の拠点端末２００と、聴講者の拠点端末２００とは、同一のハード構成とする。
【００２６】
次に、図２のブロック図を参照して、テレビ会議端末１００の電気的構成について説明する。図２に示すように、テレビ会議端末１００は、テレビ会議端末１００の制御を司るＣＰＵ１０１を備えている。そして、このＣＰＵ１０１には、ＲＯＭ１０２、ＲＡＭ１０３、ハードディスクドライブ（ＨＤＤ）１０４、カウンタ１０５、表示制御部１０６、入力制御部１０７、計時装置１０８、及び通信制御部１０９がバス１１１を介して接続されている。
【００２７】
ＲＯＭ１０２には、ＣＰＵ１０１が実行するＢＩＯＳを動作させるためのプログラムや設定値が記憶されている。ＲＡＭ１０３には、各種のデータが一時的に記憶される。ＨＤＤ１０４には、指定閲覧時間記憶エリア１４０１、指定端末数記憶エリア１４０２が設けられている。指定閲覧時間記憶エリア１４０１には、再説明判断処理（図９参照）で再説明を行うページを決定するための判断基準に用いられる、聴講者の拠点端末２００で表示されたページデータの指定時間（以下、「指定閲覧時間」という）が記憶される。また、指定端末数記憶エリア１４０２には、再説明判断処理（図９参照）で再説明を行うページを決定するための判断基準に用いられる、聴講者の拠点端末２００の数（以下、「指定端末数」という）が記憶される。また、ＨＤＤ１０４には、テレビ会議端末１００で実行される各種のプログラム等が記憶される。カウンタ１０５は、タイマとして機能し、時間を計測する。
【００２８】
表示制御部１０６は、操作画面を表示するためのモニタ１２０に接続され、このモニタ１２０の表示の制御を行う。また、入力制御部１０７は、ユーザが操作の入力を行うためのキーボード１３０やマウス１４０に接続され、これらの入力の制御を行う。計時装置１０８では、内部時計として時間が計時される。通信制御部１０９は、ネットワーク２を介して拠点端末２００等の外部機器との間でデータの送受信の制御を行う。
【００２９】
ここで、図３を参照して、ＲＡＭ１０３の詳細について説明する。図３に示すように、ＲＡＭ１０３は、閲覧ページテーブル記憶エリア１１０１、閲覧時間合計テーブル記憶エリア１１０２、閲覧ページ情報記憶エリア１１０３、及び質問拠点端末情報記憶エリア１１０４を備えている。
【００３０】
閲覧ページテーブル記憶エリア１１０１には、閲覧ページテーブル１１００（図４参照）が記憶される。この閲覧ページテーブル１１００の詳細については、後述する。閲覧時間合計テーブル記憶エリア１１０２には、閲覧時間合計テーブル１２００（図５参照）が記憶される。この閲覧時間合計テーブル１２００の詳細については、後述する。閲覧ページ情報記憶エリア１１０３には、拠点端末２００を識別する情報（以下、「端末ＩＤ」という）と、拠点端末２００で表示されているページのデータ（以下、「ページデータ」という）を特定するための情報（以下、「ページ番号」という）とが対応づけられた情報である閲覧ページ情報が記憶される。質問拠点端末情報記憶エリア１１０４には、再説明判断処理（図９参照）において、閲覧時間合計テーブル１２００から取得された端末ＩＤが質問拠点端末として記憶される。なお、閲覧時間合計テーブル記憶エリア１１０２、閲覧ページ情報記憶エリア１１０３、及び質問拠点端末情報記憶エリア１１０４は、異なったプロセス間で情報を共有することが可能な共有メモリ領域とする。
【００３１】
次に、図４を参照して、閲覧ページテーブル１１００の詳細について説明する。閲覧ページテーブル１１００には、テレビ会議に接続している各拠点端末２００において、所定の時間帯で表示されたページデータのページ番号が記憶される。つまり、端末ＩＤと、所定の時間帯と、所定の時間帯で表示されたページ番号とが対応づけられて記憶される。ここで、本実施の形態では、端末ＩＤとしては、拠点端末２００から送信されるマックアドレスが使用される。また、所定の時間帯としては、１秒とする。具体的には、図４に示すように、「端末Ａ」で特定される拠点端末２００において、「１３時０５分０秒」〜「１３時０５分１秒」の時間帯では、ページ番号「３」で特定されるページデータが表示されたことになる。なお、閲覧ページテーブル１１００には、所定の時間（１秒）が経過するごとに、新たに各拠点端末２００で表示されたページ番号が追加される。
【００３２】
次に、図５を参照して、閲覧時間合計テーブル１２００の詳細について説明する。閲覧時間合計テーブル１２００には、テレビ会議に接続している各拠点端末２００において、説明者の拠点端末２００で表示されているページデータと異なったページデータが表示された時間（秒）の合計（以下、「表示合計時間」という）が記憶される。つまり、テレビ会議に接続している拠点端末２００の端末ＩＤと、表示されたページデータのページ番号と、表示合計時間とが対応づけられて記憶される。具体的には、図５に示すように、「端末Ｂ」で特定される拠点端末２００において、ページ番号「１」のページデータに対応した表示合計時間は「０」秒であり、ページ番号「２」のページデータに対応した表示合計時間は「３０」秒となる。
【００３３】
次に、図６のブロック図を参照して、拠点端末２００の電気的構成について説明する。図６に示すように、拠点端末２００は、拠点端末２００の制御を司るＣＰＵ２０１を備えている。そして、このＣＰＵ２０１には、ＲＯＭ２０２、ＲＡＭ２０３、ハードディスクドライブ（ＨＤＤ）２０４、カウンタ２０５、計時装置２０６、入出力制御部２０７、及び通信制御部２０８が、バス２１１を介して接続されている。
【００３４】
ＲＯＭ２０２には、ＣＰＵ２０１が実行するＢＩＯＳのプログラムや設定値が記憶されている。ＲＡＭ２０３には、各種のデータが一時的に記憶される。ＨＤＤ２０４には、拠点端末２００で実行される各種のプログラム等が記憶される。カウンタ２０５は、タイマとして機能し、時間を計測する。計時装置２０６では、内部時計として時間が計時される。
【００３５】
入出力制御部２０７には、ユーザが操作の入力を行うためのキーボード２２０、マウス２３０、テレビ会議で使用するための音声データをユーザから取得するマイク２４０、及びテレビ会議で使用するための画像のデータをユーザから取得するカメラ２５０が接続されている。また、入出力制御部２０７には、テレビ会議が実行時に、テレビ会議端末１００から送信された音声データを出力するスピーカー２６０、及びテレビ会議端末１００から送信された画像データを表示するモニタ２７０が接続されている。通信制御部２０８は、ネットワーク２を介してテレビ会議端末１００等の外部機器との間でのデータの送受信を制御する。
【００３６】
次に、図７を参照して、拠点端末２００のモニタ２７０で表示されるテレビ会議画面２７１について説明する。ここで、図７において、紙面上側をテレビ会議画面２７１の「上側」、紙面下側をテレビ会議画面２７１の「下側」、紙面左側をテレビ会議画面２７１の「左側」、紙面右側をテレビ会議画面２７１の「右側」とする。
【００３７】
図７に示すように、テレビ会議画面２７１は平面視略長方形状に形成されている。テレビ会議画面２７１の中央部にはテレビ会議で使用されるデータを表示する表示領域２７８が平面視長方形状に形成されている。さらに、聴講者の拠点端末２００の表示領域２７８の上側半分には、共有表示領域２７２が設けられている。また、下側半分には、個別表示領域２７３が設けられている。さらに、表示領域２７８の左側には、前ページ表示ボタン２７４が設けられている。また、表示領域２７８の右側には、次ページ表示ボタン２７５、説明ページ移動ボタン２７６、及び了承ボタン２７７が設けられている。ここで、このテレビ会議画面２７１は、テレビ会議が実行されると、各拠点端末２００のモニタ２７０に表示される。
【００３８】
聴講者の拠点端末２００の共有表示領域２７２には、テレビ会議において説明者の拠点端末２００で表示しているページデータが表示される。このデータは、テレビ会議端末１００を介して、テレビ会議に接続している聴講者の各拠点端末２００に送信される。また、個別表示領域２７３にも同様に、説明者の拠点端末２００で表示しているデータが表示されるが、現在表示されているページデータを変更することが可能となっている。なお、説明者の拠点端末２００では、共有表示領域２７２、及び個別表示領域２７３は存在せず、表示領域２７８のみとする。
【００３９】
前ページ表示ボタン２７４は、現在表示されているページデータを前のページデータに変更するために使用される。説明者の拠点端末２００において、前ページ表示ボタン２７４が押されると、表示領域２７８に表示されているページデータの前のページデータが表示される。また、聴講者の拠点端末２００において、前ページ表示ボタン２７４が押されると、個別表示領域２７３に表示されているページデータの前のページデータが表示される。
【００４０】
次ページ表示ボタン２７５は、現在表示されているページデータを次のページデータに変更するために使用される。説明者の拠点端末２００において、次ページ表示ボタン２７５が押されると、表示領域２７８に表示されているページデータの次のページデータが表示される。また、聴講者の拠点端末２００において、次ページ表示ボタン２７５が押されると、個別表示領域２７３に表示されているページデータの次のページデータが表示される。
【００４１】
また、説明ページ移動ボタン２７６は、個別表示領域２７３に表示されているページデータから、説明者の拠点端末２００で表示しているページデータへ即座に変更するために使用される。
【００４２】
また、了承ボタン２７７は、説明者の拠点端末２００において、ページデータの再説明が行われた後、再説明を受けたユーザが、再説明の内容に対して、了承する際に使用されるボタンである。
【００４３】
次いで、図８を参照して、テレビ会議端末１００で実行されるメイン処理について説明する。ここで、図８のメイン処理は、テレビ会議端末１００の電源がＯＮになった際に、実行される。
【００４４】
テレビ会議端末１００のメイン処理が実行されると、閲覧ページテーブル１１００を更新する時間の間隔を示す更新時間に「１」に設定される（Ｓ１１）。この更新時間は、ＲＡＭ１０３に記憶される。本実施の形態では、更新時間としては「１秒」とする。そして、閲覧関連情報受信処理（図９参照）が起動される（Ｓ１２）。ここで、メイン処理とは別のプロセスが生成され、閲覧関連情報受信処理が動作する。なお、メイン処理が動作しているプロセスが親プロセスとなり、メイン処理から起動される閲覧関連情報受信処理は、子プロセスとして動作する。この閲覧関連情報受信処理の詳細については、後述する。ここで、親プロセスで実行されるメイン処理と、子プロセスで実行される閲覧関連情報受信処理との間でのデータのやり取りは、ＲＡＭ１０３の共有メモリ領域を使用して行うものとする。
【００４５】
次いで、タイマのカウントが開始される（Ｓ１３）。このカウントの計測処理は、タイマカウンタである第１カウンタを用いて行われ、「０」に初期化後に計測が開始される。この第１カウンタは、ＣＰＵ１０１に接続した計時装置１０８からの信号に基づいてカウントアップされる。
【００４６】
そして、更新時間が経過したか否かが判断される（Ｓ１４）。この判断処理は、第１カウンタの値が、ＲＡＭ１０３に記憶された更新時間である１秒を経過したか否かで判断される。更新時間が経過していないと判断された場合（Ｓ１４：ＮＯ）、つまり、第１カウンタの値が、ＲＡＭ１０３に記憶された更新時間である１秒を経過していない場合、再度、Ｓ１４の判断処理が行われる。第１カウンタの値が１秒を経過するまでＳ１４の判断処理が繰り返し実行されることになる。
【００４７】
更新時間が経過したと判断された場合（Ｓ１４：ＹＥＳ）、つまり、第１カウンタの値が、ＲＡＭ１０３に記憶された更新時間である１秒を経過した場合、再説明判断処理が行われる（Ｓ１５）。この再説明判断処理の詳細については後述する。
【００４８】
次いで、テレビ会議端末１００の電源がＯＦＦになったか否かが判断される（Ｓ１６）。この判断処理は、電源ボタン（図示外）が、テレビ会議端末１００を使用するユーザから押されたか否かで判断される。電源がＯＦＦになったと判断された場合（Ｓ１６：ＮＯ）、つまり、ユーザによって電源ボタンが押された場合、メイン処理から起動された各処理を強制的に停止する（Ｓ１７）。ここでは、Ｓ１２で起動された閲覧関連情報受信処理を実行しているプロセスに対して、強制停止されるためのシグナルが送信される。そして、メイン処理が終了する。
【００４９】
また、テレビ会議端末１００の電源がＯＦＦになっていないと判断された場合（Ｓ１６：ＮＯ）、つまり、ユーザから電源ボタンが押されていない場合、Ｓ１３へ移行し、再度タイマのカウントが開始される（Ｓ１３）。つまり、テレビ会議端末１００の電源がＯＦＦになるまでは、更新時間である１秒毎に、再説明判断処理（Ｓ１５）が実行されることになる。
【００５０】
次いで、図９を参照して、テレビ会議端末１００で実行される再説明判断処理について説明する。なお、図９の再説明判断処理は、図８のＳ１５で、実行される処理である。
【００５１】
再説明判断処理が実行されると、予め記憶されたデータである指定閲覧時間、及び指定端末数がＨＤＤ１０４から取得される（Ｓ２１）。ここで、指定閲覧時間は、ＨＤＤ１０４の指定閲覧時間記憶エリア１４０１に記憶された情報である。指定端末数は、ＨＤＤ１０４の指定端末数記憶エリア１４０２に記憶された情報である。本実施の形態では、一例として、指定閲覧時間は「３０秒」とし、指定拠点数は「２」とする。
【００５２】
次いで、拠点端末２００で表示されているページ番号が閲覧ページテーブル１１００に記憶される（Ｓ２２）。ここで、例えば、図４において、時間が「１３：１０：０１」から更新時間である「１秒」が経過後である「１３：１０：０２」のレコードが追加される。各拠点端末２００である「端末Ａ」〜「端末Ｅ」の項目には、各拠点端末２００で表示されているページ番号が記憶される。なお、このページ番号は、閲覧関連情報受信処理（図１０参照）において、ＲＡＭ１０４の共有メモリ領域である閲覧ページ情報記憶エリア１１０３に、各端末ＩＤに対応づけられて記憶されたものである。
【００５３】
次いで、閲覧時間合計テーブル１２００に記憶された合計時間において、説明者の拠点端末２００の表示領域２７８で表示されているページと異なったページを個別表示領域２７３で表示している聴講者の拠点端末２００に対応した合計時間が、更新時間分だけ加算される（Ｓ２３）。つまり、説明者の拠点端末２００の表示領域２７８で表示されているページと異なったページを個別表示領域２７３で表示している聴講者の拠点端末２００において、聴講者の拠点端末２００で表示されているページ番号に対応した、閲覧時間合計テーブル１２００の合計時間が、更新時間である「１秒」だけ加算される。
【００５４】
そして、聴講者の各拠点端末２００において、ページデータが表示された時間が、Ｓ２１で取得した指定閲覧時間以上であるものが、Ｓ２１で取得した指定端末数以上あるか否かが判断される（Ｓ２４）。つまり、閲覧時間合計テーブル１２００において、指定閲覧時間である３０秒以上表示されたページ番号に対応する拠点端末２００の数が、指定端末数である２以上あるか否かが判断される。閲覧時間合計テーブル１２００に、指定閲覧時間（「３０」秒）以上の拠点端末２００の数が、指定端末数（「２」）以上ないと判断された場合（Ｓ２４：ＮＯ）、再説明判断処理を終了する。
【００５５】
また、閲覧時間合計テーブル１２００に、指定閲覧時間（「３０」秒）以上の拠点端末２００の数が、指定端末数（「２」）以上あると判断された場合（Ｓ２４：ＹＥＳ）、説明者の拠点端末２００で表示されているページ番号がＲＡＭ１０３の共有メモリ領域に記憶される（Ｓ２５）。
【００５６】
そして、該当する拠点端末２００の端末ＩＤが、質問拠点端末としてＲＡＭ１０３に記憶される（Ｓ２６）。ここで、例えば、図５の閲覧時間合計テーブル１２００においては、「端末Ｂ」、及び「端末Ｃ」の端末ＩＤが、質問拠点端末としてＲＡＭ１０３に記憶される。
【００５７】
次いで、再説明をするためのページ番号、及び再説明用のメッセージデータがテレビ会議システム１に接続されている全ての拠点端末２００に対して送信される（Ｓ２７）。そして、再説明判断処理を終了する。
【００５８】
次に、図１０を参照して、テレビ会議端末１００で実行される閲覧関連情報受信処理について説明する。ここで、図１０の閲覧関連情報受信処理は、図８のメイン処理のＳ１２で、子プロセスとして起動される。なお、閲覧関連情報受信処理は、図８のＳ１７から送信される強制終了のシグナルを受信した際に終了する。
【００５９】
閲覧関連情報受信処理が実行されると、拠点端末２００から送信されたページ番号を受信したか否かが判断される（Ｓ３１）。このページ番号は、拠点端末２００のテレビ会議画面２７１の個別表示領域２７３に表示されているページデータのページ番号である。拠点端末２００から送信されたページ番号を受信していないと判断された場合（Ｓ３１：ＮＯ）、つまり、拠点端末２００のからページ番号が送信されていない場合、拠点端末２００から送信された了承通知を受信したか否かが判断される（Ｓ３３）。この了承通知は、説明者の拠点端末２００から、テレビ会議端末１００を介して、聴講者の拠点端末２００に対して再説明用のページデータが送信された後、聴講者の拠点端末２００のユーザにより了承ボタン（図示外）が押された際に、聴講者の拠点端末２００から送信される信号である。
【００６０】
聴講者の拠点端末２００から、了承通知を受信していないと判断された場合（Ｓ３３：ＮＯ）、Ｓ３１へ移行する。つまり、聴講者の拠点端末２００からページ番号を受信するか、了承通知を受信するまで、Ｓ３１、Ｓ３３の処理を繰り返す。
【００６１】
拠点端末２００から、ページ番号を受信したと判断された場合（Ｓ３１：ＹＥＳ）、ＲＡＭ１０３の共有メモリ領域である閲覧ページ情報記憶エリア１１０３に、受信したページ番号と、ページ番号を送信した拠点端末２００の端末ＩＤとが対応づけられて閲覧ページ情報として記憶される（Ｓ３２）。そして、Ｓ３１に移行する。
【００６２】
聴講者の拠点端末２００から、了承通知を受信したと判断された場合（Ｓ３３：ＹＥＳ）、了承通知を送信した聴講者の拠点端末２００の端末ＩＤをＲＡＭ１０３に記憶する（Ｓ３４）。そして、全ての質問拠点端末から了承通知を受信したか否かが判断される（Ｓ３５）。つまり、ＲＡＭ１０３の共有メモリ領域である質問拠点端末情報記憶エリア１１０４に記憶された端末ＩＤが、Ｓ３４で記憶された端末ＩＤと全て一致するか否かが判断される。全ての質問拠点端末から了承通知を受信していないと判断された場合（Ｓ３５：ＮＯ）、つまり、質問拠点端末情報記憶エリア１１０４に記憶された端末ＩＤが、Ｓ３４で記憶された端末ＩＤと全て一致しない場合、Ｓ３１へ移行する。
【００６３】
また、全ての質問拠点端末から了承通知を受信したと判断された場合（Ｓ３５：ＹＥＳ）、つまり、質問拠点端末情報記憶エリア１１０４に記憶された端末ＩＤが、Ｓ３４で記憶された端末ＩＤと全て一致する場合、閲覧時間合計テーブル１２００の該当するページ番号に対応した全ての合計時間が「０」に初期化される（Ｓ３６）。そして、再説明前に表示していたページ番号が、テレビ会議システム１に接続している全ての拠点端末２００に対して送信され（Ｓ３７）、Ｓ３１へ移行する。なお、再説明前に表示していたページ番号は、図９のＳ２５でＲＡＭ１０３の共有メモリ領域に保存されたページ番号である。
【００６４】
次に、図１１を参照して、拠点端末２００のメイン処理について説明する。ここで、図１１のメイン処理は、拠点端末２００の電源がＯＮになり、テレビ会議が開始された際に、実行される。
【００６５】
拠点端末２００のメイン処理が実行されると、テレビ会議で説明するためのデータがテレビ会議端末１００に対して送信されたか否かが判断される（Ｓ４１）。この判断処理は、テレビ会議で説明するためのデータが、拠点端末２００のユーザにより選択され、送信ボタン（図示外）が押されたか否かで判断される。
【００６６】
テレビ会議で説明するためのデータがテレビ会議端末１００に対して送信されたと判断された場合（Ｓ４１：ＹＥＳ）、つまり、テレビ会議で説明するためのデータが、拠点端末２００のユーザにより選択され、送信ボタンが押された場合、説明者端末データ表示処理（図１２参照）が起動される（Ｓ４２）。ここで、メイン処理とは別のプロセスが生成され、説明者端末データ表示処理が動作する。メイン処理が動作しているプロセスが親プロセスとなり、メイン処理から起動される説明者端末データ表示処理は、子プロセスとして動作する。この説明者端末データ表示処理の詳細については、後述する。なお、テレビ会議で説明するためのデータがテレビ会議端末１００に対して送信されたと判断された場合は、拠点端末２００は、説明者の拠点端末２００として動作する。
【００６７】
次いで、説明者端末ページ管理処理（図１３参照）が起動される（Ｓ４３）。ここで、メイン処理とは別のプロセスが生成され、説明者端末ページ管理処理が動作する。メイン処理から起動される説明者端末ページ管理処理は、子プロセスとして動作する。この説明者端末ページ管理処理の詳細については、後述する。
【００６８】
次いで、電源がＯＦＦになったか否かが判断される（Ｓ４４）。この判断処理は、電源ボタン（図示外）が押されたか否かで判断される。電源ボタンが押されず、電源がＯＦＦになったと判断されなかった場合（Ｓ４４：ＮＯ）、再度、Ｓ４４へ移行する。つまり、メイン処理は、電源がＯＦＦになるまで待ち続けることになる。
【００６９】
テレビ会議で説明するためのデータがテレビ会議端末１００に対して送信されていないと判断された場合（Ｓ４１：ＮＯ）、つまり、送信ボタンが押されず、キャンセルボタン（図示外）が押された場合、聴講者端末データ表示処理が（図１４参照）が起動される（Ｓ４６）。ここで、メイン処理とは別のプロセスが生成され、聴講者端末データ表示処理が動作する。メイン処理から起動される聴講者端末データ表示処理は、子プロセスとして動作する。この聴講者端末データ表示処理の詳細については、後述する。なお、テレビ会議で説明するためのデータがテレビ会議端末１００に対して送信されていないと判断された場合は、拠点端末２００は、聴講者の拠点端末２００として動作する。
【００７０】
次いで、聴講者端末ページ管理処理（図１５参照）が起動される（Ｓ４７）。ここで、メイン処理とは別のプロセスが生成され、聴講者端末ページ管理処理が動作する。メイン処理から起動される聴講者端末ページ管理処理は、子プロセスとして動作する。この聴講者端末ページ管理処理の詳細については、後述する。
【００７１】
次いで、了承判断処理（図１６参照）が起動される（Ｓ４８）。ここで、メイン処理とは別のプロセスが生成され、了承判断処理が動作する。メイン処理から起動される了承判断処理は、子プロセスとして動作する。この了承判断処理の詳細については、後述する。そして、Ｓ４４へ移行する。
【００７２】
電源がＯＦＦになったと判断された場合（Ｓ４４：ＹＥＳ）、つまり、拠点端末２００を使用するユーザによって電源ボタンが押された場合、拠点端末２００のメイン処理から起動された各処理を強制的に停止し（Ｓ４５）、メイン処理が終了する。拠点端末２００が、説明者の拠点端末２００として動作している場合、Ｓ４２で起動された説明者端末データ表示処理を実行しているプロセス、及びＳ４３で起動された説明者端末ページ管理処理を実行しているプロセスに対して、強制停止されるためのシグナルが送信される。
【００７３】
また、拠点端末２００が、聴講者の拠点端末２００として動作している場合、Ｓ４６で起動された聴講者端末データ表示処理を実行しているプロセス、Ｓ４７で起動された聴講者端末ページ管理処理を実行しているプロセス、及びＳ４８で起動された了承判断処理を実行しているプロセスに対して、強制停止されるためのシグナルが送信される。
【００７４】
次に、図１２を参照して、説明者の拠点端末２００で実行される説明者端末データ表示処理について説明する。図１２の説明者端末データ表示処理は、図１１のＳ４２で、起動される処理である。なお、説明者端末データ表示処理は、図１１のＳ４５で送信される強制終了のシグナルを受信した際に終了する。
【００７５】
説明者端末データ表示処理が実行されると、再説明のページ番号、及び再説明用のメッセージを受信したか否かが判断される（Ｓ５１）。このページ番号、及びメッセージは、図９のＳ２７で、テレビ会議端末１００から送信されるものである。
【００７６】
再説明のページ番号、及び再説明用のメッセージを受信したと判断された場合（Ｓ５１：ＹＥＳ）、受信した再説明用のメッセージをテレビ会議画面２７１に表示する（Ｓ５２）。ここで、説明者の拠点端末２００においては、再説明用のメッセージは、共有表示領域２７２と、個別表示領域２７３とを合した全体の表示領域に表示される。再説明用のメッセージとしては、一例として、「説明済みのページ（３Ｐ）の閲覧時間の合計が、一定時間を経過しました。質問があれば、再度説明してください」と表示される。
【００７７】
そして、所定時間後に、受信した再説明用のページ番号に対応したページデータが表示され（Ｓ５３）、Ｓ５１へ移行する。つまり、説明者端末データ表示処理では、再説明のページ番号、及び再説明用のメッセージを受信する度に、Ｓ５２、Ｓ５３の処理が実行される。ここで、一例として、所定時間は、１０秒とする。また、再説明のページ、及び再説明用のメッセージを受信していないと判断された場合（Ｓ５１：ＮＯ）、再度、Ｓ５１へ移行する。
【００７８】
次に、図１３を参照して、説明者の拠点端末２００で実行される説明者端末ページ管理処理について説明する。図１３の説明者端末ページ管理処理は、図１１のＳ４３で、起動される処理である。なお、説明者端末ページ管理処理は、図１１のＳ４５で送信される強制終了のシグナルを受信した際に終了する。
【００７９】
説明者端末ページ管理処理が実行されると、ＲＡＭ２０３に記憶されている変数である「滞在時間」、「表示ページ情報」、「滞在確認フラグ」が初期化される（Ｓ６１）。ここでは、「滞在時間」の値に「０」、「表示ページ情報」の値に「０」、「滞在確認フラグ」の値に「０」がそれぞれ設定される。
【００８０】
次いで、タイマのカウントが開始される（Ｓ６２）。このカウントの開始処理は、タイマカウンタである第２カウンタを用いて行われ、「０」に初期化後に計測が開始される。この第２カウンタは、ＣＰＵ２０１に接続した計時装置２０６からの信号に基づいてカウントアップされる。
【００８１】
そして、１秒が経過したか否かが判断される（Ｓ６３）。この判断処理は、第２カウンタの値が、１秒を経過したか否かで判断される。１秒が経過していないと判断された場合（Ｓ６３：ＮＯ）、再度、Ｓ６３の判断処理が行われる。第２カウンタの値が１秒を経過するまでＳ６３の判断処理が実行されることになる。
【００８２】
１秒が経過したと判断された場合（Ｓ６３：ＹＥＳ）、つまり、第２カウンタの値が、１秒以上である場合、テレビ会議画面２７１に表示されているページデータのページ番号が取得される（Ｓ６４）。そして、テレビ会議画面２７１に表示されているページデータが変更されたか否かが判断される（Ｓ６５）。この判断処理は、Ｓ６４で取得されたページ番号と、ＲＡＭ２０３に記憶されている表示ページ情報の値とが同一か否かで判断される。
【００８３】
テレビ会議画面２７１に表示されているページデータが変更されたと判断された場合（Ｓ６５：ＹＥＳ）、つまり、Ｓ６４で取得されたページ番号と、ＲＡＭ２０３に記憶されている表示ページ情報の値とが同一でないと判断された場合、ＲＡＭ２０３に記憶された滞在確認フラグの値に「１」が設定される（Ｓ６６）。そして、ＲＡＭ２０３に記憶された表示ページ情報に、Ｓ６４で取得したページ番号が設定される（Ｓ６７）。次いで、ＲＡＭ１０３に記憶された滞在時間が「０」に設定され（Ｓ７３）、Ｓ６２へ移行する。
【００８４】
また、テレビ会議画面２７１に表示されているページデータが変更されていないと判断された場合（Ｓ６５：ＮＯ）、つまり、Ｓ６４で取得されたページ番号と、ＲＡＭ２０３に記憶されている表示ページ情報の値とが同一でないと判断された場合、ＲＡＭ２０３に記憶された滞在確認フラグの値が「１」か否かが判断される（Ｓ６８）。
【００８５】
ＲＡＭ２０３に記憶された滞在確認フラグの値が「１」でない場合（Ｓ６８：ＮＯ）、Ｓ６２へ移行する。また、ＲＡＭ２０３に記憶された滞在確認フラグの値が「１」である場合（Ｓ６８：ＹＥＳ）、ＲＡＭ２０３に記憶された滞在時間の値に「１」が加算される（Ｓ６９）。そして、ＲＡＭ２０３に記憶された滞在時間の値が「５」以上か否かが判断される（Ｓ７０）。つまり、説明者の拠点端末２００のテレビ会議画面２７１で、同一のページデータが５秒以上、表示されているか否かが判断される。
【００８６】
ＲＡＭ２０３に記憶された滞在時間の値が「５」以上でないと判断された場合（Ｓ７０：ＮＯ）、つまり、説明者の拠点端末２００のテレビ会議画面２７１で、同一のページデータが表示されている時間が５秒を経過していない場合、Ｓ６２へ移行する。
【００８７】
また、ＲＡＭ２０３に記憶された滞在時間の値が「５」以上であると判断された場合（Ｓ７０：ＹＥＳ）、つまり、説明者の拠点端末２００のテレビ会議画面２７１で、同一のページデータが表示されている時間が５秒以上である場合、テレビ会議画面２７１に表示されているページ番号が、テレビ会議端末１００に送信される（Ｓ７１）。なお、送信されたページ番号は、図１０のＳ３１で受信される。
【００８８】
次いで、ＲＡＭ２０３に記憶された滞在確認フラグの値に「０」が設定され（Ｓ７２）、Ｓ７３へ移行する。
【００８９】
次に、図１４を参照して、聴講者の拠点端末２００で実行される聴講者端末データ表示処理について説明する。図１４の聴講者端末データ表示処理は、図１１のＳ４６で、起動される処理である。なお、聴講者端末データ表示処理は、図１１のＳ４５で送信される強制終了のシグナルを受信した際に終了する。
【００９０】
聴講者端末データ表示処理が実行されると、再説明のページ番号、及び再説明用のメッセージを受信したか否かが判断される（Ｓ８１）。このページ番号、及びメッセージは、図９のＳ２７で、テレビ会議端末１００から送信されるものである。
【００９１】
再説明のページ番号、及び再説明用のメッセージを受信したと判断された場合（Ｓ８１：ＹＥＳ）、受信した再説明用のメッセージが、テレビ会議画面２７１に表示される（Ｓ８２）。ここで、聴講者の拠点端末２００においては、再説明用のメッセージは、共有表示領域２７２と、個別表示領域２７３とを合した全体の領域に表示される。再説明用のメッセージとしては、一例として、「説明済みのページ（３Ｐ）の閲覧時間の合計が、一定時間を経過しました。拠点端末Ｂ、拠点端末Ｃを使用中の方で、質問があれば、質問をしてください」と表示される。
【００９２】
そして、所定時間後に、受信した再説明用のページ番号に対応したページデータが、テレビ会議画面２７１の共有表示領域２７２に表示され（Ｓ８３）、Ｓ８１へ移行する。つまり、聴講者端末データ表示処理では、再説明のページ番号、及び再説明用のメッセージを受信する度に、Ｓ８２、Ｓ８３の処理が実行される。ここで、一例として、所定時間は、「１０秒」とする。
【００９３】
また、再説明のページ番号、及び再説明用のメッセージを受信していないと判断された場合（Ｓ８１：ＮＯ）、説明者の拠点端末２００で表示中のページ番号を、受信したか否かが判断される（Ｓ８４）。このページ番号は、図１０のＳ３７で送信されたページ番号である。
【００９４】
テレビ会議端末１００から、説明者の拠点端末２００で表示中のページ番号を、受信していないと判断された場合（Ｓ８４：ＮＯ）、Ｓ８１へ移行する。また、説明者の拠点端末２００で表示中のページ番号を、受信したと判断された場合（Ｓ８４：ＹＥＳ）、Ｓ８３へ移行し、受信したページ番号に対応したページデータが、テレビ会議画面２７１の共有表示領域２７２に表示される。
【００９５】
次に、図１５を参照して、聴講者の拠点端末２００で実行される聴講者端末ページ管理処理について説明する。図１５の聴講者端末ページ管理処理は、図１１のＳ４７で、起動される処理である。なお、聴講者端末ページ管理処理は、図１１のＳ４５で送信される強制終了のシグナルを受信した際に終了する。
【００９６】
聴講者端末ページ管理処理が実行されると、ＲＡＭ２０３に記憶されている変数である「滞在時間」、「表示ページ情報」、「滞在確認フラグ」が初期化される（Ｓ９１）。ここでは、「滞在時間」の値に「０」、「表示ページ情報」の値に「０」、「滞在確認フラグ」の値に「０」がそれぞれ設定される。
【００９７】
次いで、タイマのカウントが開始される（Ｓ９２）。このカウントの開始処理は、タイマカウンタである第３カウンタを用いて行われ、「０」に初期化後に計測が開始される。この第３カウンタは、ＣＰＵ２０１に接続した計時装置２０６からの信号に基づいてカウントアップされる。
【００９８】
そして、１秒が経過したか否かが判断される（Ｓ９３）。この判断処理は、第３カウンタの値が、１秒を経過したか否かで判断される。１秒が経過していないと判断された場合（Ｓ９３：ＮＯ）、再度、Ｓ９３の判断処理が行われる。第３カウンタの値が１秒を経過するまでＳ９３の判断処理が実行されることになる。
【００９９】
１秒が経過したと判断された場合（Ｓ９３：ＹＥＳ）、つまり、第３カウンタの値が、１秒以上である場合、テレビ会議画面２７１の個別表示領域２７３に表示されているページデータのページ番号が取得される（Ｓ９４）。そして、テレビ会議画面２７１の個別表示領域２７３に表示されているページデータが変更されたか否かが判断される（Ｓ９５）。この判断処理は、Ｓ９４で取得されたページ番号と、ＲＡＭ２０３に記憶されている表示ページ情報の値とが同一か否かで判断される。
【０１００】
テレビ会議画面２７１の個別表示領域２７３に表示されているページデータが変更されたと判断された場合（Ｓ９５：ＹＥＳ）、つまり、Ｓ９４で取得されたページ番号と、ＲＡＭ２０３に記憶されている表示ページ情報の値とが同一でないと判断された場合、ＲＡＭ２０３に記憶された滞在確認フラグの値に「１」が設定される（Ｓ９６）。そして、ＲＡＭ２０３に記憶された表示ページ情報に、Ｓ９４で取得したページ番号が設定される（Ｓ９７）。次いで、ＲＡＭ１０３に記憶された滞在時間が「０」に設定され（Ｓ１０３）、Ｓ９２へ移行する。
【０１０１】
また、テレビ会議画面２７１の個別表示領域２７３に表示されているページデータが変更されていないと判断された場合（Ｓ９５：ＮＯ）、つまり、Ｓ９４で取得されたページ番号と、ＲＡＭ２０３に記憶されている表示ページ情報の値とが同一でないと判断された場合、ＲＡＭ２０３に記憶された滞在確認フラグの値が「１」か否かが判断される（Ｓ９８）。
【０１０２】
ＲＡＭ２０３に記憶された滞在確認フラグの値が「１」でない場合（Ｓ９８：ＮＯ）、Ｓ９２へ移行する。また、ＲＡＭ２０３に記憶された滞在確認フラグの値が「１」である場合（Ｓ９８：ＹＥＳ）、ＲＡＭ２０３に記憶された滞在時間の値に「１」が加算される（Ｓ９９）。そして、ＲＡＭ２０３に記憶された滞在時間の値が「５」以上か否かが判断される（Ｓ１００）。つまり、説明者の拠点端末２００のテレビ会議画面２７１の個別表示領域２７３で、同一のページデータが５秒以上、表示されているか否かが判断される。
【０１０３】
ＲＡＭ２０３に記憶された滞在時間の値が「５」以上でないと判断された場合（Ｓ１００：ＮＯ）、つまり、説明者の拠点端末２００のテレビ会議画面２７１の個別表示領域２７３で、同一のページデータが表示されている時間が５秒を経過していない場合、Ｓ９２へ移行する。
【０１０４】
また、ＲＡＭ２０３に記憶された滞在時間の値が「５」以上であると判断された場合（Ｓ１００：ＹＥＳ）、つまり、説明者の拠点端末２００のテレビ会議画面２７１の個別表示領域２７３で、同一のページデータが表示されている時間が５秒以上である場合、テレビ会議画面２７１の個別表示領域２７３に表示されているページ番号が、テレビ会議端末１００に送信される（Ｓ１０１）。なお、送信されたページ番号は、図１０のＳ３１で受信される。
【０１０５】
次いで、ＲＡＭ２０３に記憶された滞在確認フラグの値に「０」が設定され（Ｓ１０２）、Ｓ１０３へ移行する。
【０１０６】
次に、図１６を参照して、聴講者の拠点端末２００で実行される了承判断処理について説明する。図１６の了承処理は、図１１のＳ４８で、起動される処理である。なお、了承判断処理は、図１１のＳ４５で送信される強制終了のシグナルを受信した際に終了する。
【０１０７】
了承判断処理が実行されると、了承ボタン２７７が押されたか否かが判断される（Ｓ１１１）。この了承ボタン２７７は、説明者の拠点端末２００において、ページデータの再説明が行われた後、再説明を受けたユーザが、再説明の内容に対して、了承した際に使用されるボタンである。
【０１０８】
了承ボタン２７７が押されていないと判断された場合（Ｓ１１１：ＮＯ）、再度、Ｓ１１１の判断処理が行われる。つまり、了承ボタン２７７が押されるまで、Ｓ１１１の判断処理が繰り返し行われる。
【０１０９】
了承ボタンが押されたと判断された場合（Ｓ１１１：ＹＥＳ）、了承ボタン２７７が押された旨を示す情報である了承通知が、テレビ会議端末１００に対して送信され（Ｓ１２２）、再度、Ｓ１１１へ移行する。なお、送信された了承通知は、図１０のＳ３５で受信される。
【０１１０】
以上説明したように、本実施の形態では、テレビ会議端末１００は、テレビ会議に参加する聴講者の各拠点端末２００の個別表示領域２７３に表示されているページ番号を受信する。そして、聴講者の拠点端末２００において、説明者の拠点端末２００の表示領域２７８に表示されているページデータと異なったページデータが表示されている場合、そのページデータの表示合計時間が拠点端末２００毎に、閲覧時間合計テーブル１２００に記憶される。
【０１１１】
閲覧時間合計テーブル１２００に記憶された表示時間の内で、予め指定された指定閲覧時間以上の表示合計時間を含む聴講者の拠点端末２００が複数ある場合、説明者が再説明をするためのページ番号、及び再説明用のメッセージデータがテレビ会議システム１に接続されている全ての拠点端末２００に対して送信される。そして、聴講者の拠点端末２００において、説明者が再説明をするためのページ番号、及び再説明用のメッセージデータを受信した場合、受信した再説明用のメッセージが、テレビ会議画面２７１に表示される。また、所定時間後に、受信した再説明用のページ番号に対応したページデータが、テレビ会議画面２７１の共有表示領域２７２に表示される。
【０１１２】
これにより、テレビ会議端末１００では、拠点端末２００のユーザが頻繁に閲覧していたページを自動的に検出することができ、再説明が必要なページを容易に決定することができる。また、テレビ会議において、説明者から説明を受ける参加者に対して、表示領域に表示されたメッセージを確認させることで、説明者に対して質問をするきっかけを提供することができる。さらに、再説明に必要なページが各拠点端末２００に表示されることで、説明者は、説明を受ける参加者に対して、説明がし易くなると共に詳細に説明することができる。
【０１１３】
本実施の形態のテレビ会議端末１００が「テレビ会議装置」に相当し、拠点端末２００が「端末装置」に相当し、端末ＩＤが「識別情報」に相当する。更新時間が「第１所定時間」に相当し、指定閲覧時間が「第２所定時間」に相当し、指定端末数が「端末装置数」に相当する。図１５のＳ１００の判断処理を実行する際の所定の時間である「５秒」が「第５所定時間」に相当し、図１４のＳ８２を実行してからＳ８３を実行するまでの所定時間（「１０秒」）が「第６所定時間」に相当し、ページ番号が「ページ情報」に相当する。
【０１１４】
また、図８のＳ１４を実行するＣＰＵ１０１が「更新時間判断手段」に相当し、図９のＳ２３を実行するＣＰＵ１０１が「閲覧時間情報更新手段」に相当する。図９のＳ２４を実行するＣＰＵ１０１が「ページ情報判断手段」、及び「ページ情報判断ステップ」に相当し、図９のＳ２７を実行するＣＰＵ１０１が「送信手段」、及び「送信ステップ」に相当する。図１０のＳ３１を実行するＣＰＵ１０１が「ページ情報受信判断手段」、及び「ページ情報受信判断ステップ」に相当し、閲覧時間合計テーブル記憶エリア１１０２が「閲覧時間情報記憶手段」に相当する。閲覧ページ情報記憶エリア１１０３が「閲覧ページ情報記憶手段」に相当し、ＨＤＤ１０４が「第一記憶手段」に相当する。図１０のＳ３２を実行するＣＰＵ１０１が「閲覧ページ情報記憶制御手段」、及び「閲覧ページ情報記憶制御ステップ」に相当する。
【０１１５】
また、前ページ表示ボタン２７４、及び次ページ表示ボタン２７５が「指示手段」に相当する。図１３のＳ６５、又は図１５のＳ９５を実行するＣＰＵ２０１が「ページ変更判断手段」に相当し、図１３のＳ７０、又は図１５のＳ１００を実行するＣＰＵ２０１が「経過時間判断手段」に相当する。図１３のＳ７１、又は図１５のＳ１０１を実行するＣＰＵ２０１が「ページ情報送信手段」に相当し、図１２のＳ５１、又は図１４のＳ８１を実行するＣＰＵ２０１が「受信判断手段」に相当する。図１２のＳ５２、又は図１４のＳ８２を実行するＣＰＵ２０１が「第一表示制御手段」に相当し、図１２のＳ５３、又は図１４のＳ８３を実行するＣＰＵ２０１が「第二表示制御手段」に相当する。
【０１１６】
なお、本発明は、上述した実施の形態に限定されるものではなく、本発明の要旨を脱しない範囲内において種々の変更が可能であることは無論である。以下に、変形例について説明する。
【０１１７】
上述した実施の形態では、図９の再説明判断処理において、テレビ会議端末１００のＨＤＤ１０４の指定閲覧時間記憶エリア１４０１に記憶された指定閲覧時間、指定端末数記憶エリア１４０２に記憶された指定端末数に基づいて、再説明を行うページデータのページ番号を決定しているがこれに限定しない。
【０１１８】
例えば、指定された聴講者の拠点端末２００において、個別表示領域２７３で表示されたページデータが指定閲覧時間以上あるページデータを、再説明を行うページデータとして決定してもよい。これについては、図１７を参照して説明する。ここで、テレビ会議端末１００のＨＤＤ１０４には、指定閲覧時間記憶エリア１４０１に加えて、指定された聴講者の拠点端末２００の端末ＩＤを、指定拠点端末として記憶する指定端末記憶エリア（図示外）が設けられている。その他の構成については上述した実施の形態と同様のためその説明を省略する。また、図１７の再説明判断処理において、Ｓ１２２〜Ｓ１２３は、図９のＳ２２〜Ｓ２３の処理と同様のため、その説明を省略する。また、図１７のＳ１２５〜Ｓ１２７の処理と、図９のＳ２５〜Ｓ２７の処理は同様のため、その説明を省略する。
【０１１９】
図１７の第一変形例の再説明判断処理が実行されると、指定閲覧時間記憶エリア１４０１に記憶された指定閲覧時間、及び指定端末記憶エリアに記憶された端末ＩＤが取得される（Ｓ１２１）。本実施の形態では、一例として、指定閲覧時間は「２０秒」とし、指定拠点端末の端末ＩＤは「端末Ｄ」とする。
【０１２０】
次いで、Ｓ１２２〜Ｓ１２３の処理が実行される。次に、Ｓ１２１で取得された端末ＩＤで特定される拠点端末２００において、ページデータが個別表示領域２７３に表示された時間が、Ｓ１２１で取得した指定閲覧時間以上であるものが存在するか否かが判断される（Ｓ１２４）。つまり、閲覧時間合計テーブル１２００で、指定拠点端末である「端末Ｄ」において、指定閲覧時間である「２０秒」以上表示されたページ番号があるか否かが判断される。
【０１２１】
ページデータが個別表示領域２７３に表示された時間がＳ１２１で取得した指定閲覧時間以上であるものが存在する場合（Ｓ１２４：ＹＥＳ）、つまり、閲覧時間合計テーブル１２００で、指定拠点端末である「端末Ｄ」において指定閲覧時間である「２０秒」以上表示されたページ番号がある場合、Ｓ１２５〜Ｓ１２７の処理が実行され、再説明判断処理が終了する。たとえば、一例として、図５に示す閲覧時間合計テーブル１２００であれば、ページ番号が「４」に該当する。
【０１２２】
ページデータが個別表示領域２７３に表示された時間がＳ１２１で取得した指定閲覧時間以上であるものが存在しない場合（Ｓ１２４：ＮＯ）、つまり、閲覧時間合計テーブル１２００で、指定拠点端末である「端末Ｄ」において指定閲覧時間である「２０秒」以上表示されたページ番号がない場合、再説明判断処理が終了する。
【０１２３】
以上説明したように、第一変形例においては、指定閲覧時間、指定拠点端末がＨＤＤ１０４に予め記憶されている。そして、指定拠点端末で特定される拠点端末２００において、ページデータが個別表示領域２７３に表示された時間が所定閲覧時間以上であるものがある場合、該当するページ番号が、再説明の必要性が高いページ番号として決定される。これにより、聴講者の拠点端末２００で頻繁に閲覧していたページ番号であり、再説明の必要性が高いページ番号を、予め設定された条件により、容易に決定することができる。その結果、聴講者の拠点端末２００で頻繁に閲覧され、再説明の必要性が高いページを、テレビ会議での説明者が選択する必要がなくなる。
【０１２４】
なお、指定閲覧時間が「第３所定時間」に相当し、ＨＤＤ１０４が「第一記憶手段」に相当する。図１７のＳ１２１を実行するＣＰＵ１０１が「端末装置特定手段」、及び「時間特定手段」に相当する。
【０１２５】
また、再説明を行うページデータを決定する条件は、上述した実施の形態、又は第一変形例以外の条件であってもよい。
【０１２６】
例えば、聴講者の拠点端末２００に優先順位を設けて、優先順位に従って、個別表示領域２７３で表示されたページデータが指定閲覧時間以上あるページデータを、再説明を行うページデータとして決定してもよい。なお、優先順位に従って、最初のページデータが決定されれば、そのページデータを再説明のページデータとする。これについては、図１８、及び図１９を参照して説明する。ここで、テレビ会議端末１００のＨＤＤ１０４には、優先順位テーブル１３００（図１８参照）を記憶する優先順位テーブル記憶エリア（図示外）が設けられている。その他の構成については上述した実施の形態と同様のためその説明を省略する。また、図１９の再説明判断処理において、Ｓ１３２〜Ｓ１３３は、図９のＳ２２〜Ｓ２３の処理と同様のため、その説明を省略する。また、図１９のＳ１３５〜Ｓ１３７の処理と、図９のＳ２５〜Ｓ２７の処理は同様のため、その説明を省略する。
【０１２７】
まず、図１８を参照して、優先順位テーブル１３００について説明する。優先順位テーブル１３００は、優先順位順に対応した指定拠点端末の端末ＩＤ、指定閲覧時間が記憶される。この優先順位テーブル１３００の優先順位順が高い順に従って、優先順位に対応する指定拠点端末で特定される拠点端末２００において、優先順位に対応する指定閲覧時間以上、個別表示領域２７３でされたページデータがあるか否かが再説明判断処理（図１９参照）で判断される。
【０１２８】
図１９の第二変形例の再説明判断処理が実行されると、ＨＤＤ１０４の優先順位テーブル記憶エリア（図示外）に記憶された優先順位テーブル１３００が取得される（Ｓ１３１）。本実施の形態では、一例として、図１８に示すように、優先順位が「１」番目に対応する指定拠点端末は「端末Ｂ」とし、その指定閲覧時間は「３５秒」とする。また、優先順位が「２」番目に対応する指定拠点端末は「端末Ｄ」とし、その指定閲覧時間は「２０秒」とする。
【０１２９】
次いで、Ｓ１３２〜Ｓ１３３の処理が実行される。次に、Ｓ１３１で取得された優先順位テーブル１３００の優先順位に従って、対応した指定拠点端末で特定される拠点端末２００において、対応した指定閲覧時間以上、表示されたページ番号があるか否かが判断される（Ｓ１３４）。つまり、まず初めに、閲覧時間合計テーブル１２００で、優先順位が「１」番目に対応する指定拠点端末である「端末Ｂ」において、指定閲覧時間である「３５秒」以上表示されたページ番号があるか否かが判断される。優先順位が「１」番目に該当するページ番号が、閲覧時間合計テーブル１２００に存在しない場合、優先順位が「２」番目に対応するデータに対して、同様の判断処理が行われる。
【０１３０】
優先順位テーブル１３００の優先順位に従って、対応した指定拠点端末で特定される拠点端末２００において、対応した指定閲覧時間以上、表示されたページ番号があると判断された場合（Ｓ１３４：ＹＥＳ）、Ｓ１３５〜１３７の処理が行われ、再説明判断処理が終了する。例えば、図５に示す閲覧時間合計テーブル１２００、図１８に示す優先順位テーブル１３００であるなら、優先順位が「１」番目の指定拠点端末である「端末Ｂ」においては、ページ番号が「３」が該当する。
【０１３１】
優先順位テーブル１３００の優先順位に従って、対応した指定拠点端末で特定される拠点端末２００において、対応した指定閲覧時間以上、表示されたページ番号がないと判断された場合（Ｓ１３４：ＮＯ）、Ｓ１３５〜１３７の処理が行われず、再説明判断処理が終了する。
【０１３２】
以上説明したように、第二変形例においては、優先順位テーブル１３００がＨＤＤ１０４の優先順位テーブル記憶エリア（図示外）に記憶されている。そして、優先順位テーブル１３００の優先順位が高い順に従って、優先順位に対応する指定拠点端末で特定される拠点端末２００において、優先順位に対応する指定閲覧時間以上、個別表示領域２７３で表示されたページデータに対応するページ番号がある場合、該当するページ番号が、再説明の必要性が高いページ番号として決定される。その結果、聴講者の拠点端末２００の個別表示領域２７３で頻繁に表示され、再説明の必要性が高いページを、テレビ会議での説明者が選択する必要がなくなる。
【０１３３】
なお、指定閲覧時間が「第４所定時間」に相当し、ＨＤＤ１０４が「第二記憶手段」に相当する。
【０１３４】
また、再説明判断処理で再説明を実施するページ番号を決定する際に、上述した実施の形態、第一の変形例、第二の変形例の判断条件を少なくとも２つ以上組み合わせても問題はない。つまり、図９のＳ２４、図１７のＳ１２４、及び図１９のＳ１３４に優先順位を付けて少なくとも２つ以上を組み合わせて、再説明を実施するページ番号を決定するようにしてもよい。
【符号の説明】
【０１３５】
１    テレビ会議システム
２    ネットワーク
１００    テレビ会議端末
１０１，２０１    ＣＰＵ
１０３，２０３    ＲＡＭ
１０４，２０４    ＨＤＤ
１０８，２０６    計時装置
２００    拠点端末
２７０    モニタ
２７１    テレビ会議画面
２７２    共有表示領域
２７３    個別表示領域
２７４    前ページ表示ボタン
２７５    次ページ表示ボタン
２７８    表示領域
１１０２    閲覧時間合計テーブル記憶エリア
１２００    閲覧時間合計テーブル
１３００    優先順位テーブル
１４０１    指定閲覧時間記憶エリア
１４０２    指定端末数記憶エリア
【図１】
2010212837.tif 000003
【図２】
2010212837.tif 000004
【図３】
2010212837.tif 000005
【図４】
2010212837.tif 000006
【図５】
2010212837.tif 000007
【図６】
2010212837.tif 000008
【図７】
2010212837.tif 000009
【図８】
2010212837.tif 000010
【図９】
2010212837.tif 000011
【図１０】
2010212837.tif 000012
【図１１】
2010212837.tif 000013
【図１２】
2010212837.tif 000014
【図１３】
2010212837.tif 000015
【図１４】
2010212837.tif 000016
【図１５】
2010212837.tif 000017
【図１６】
2010212837.tif 000018
【図１７】
2010212837.tif 000019
【図１８】
2010212837.tif 000020
【図１９】
2010212837.tif 000021